(57)【要約】【課題】  低コストで省スペースかつ汎用性に優れた机上用デジタルカメラ撮影補助装置を提供すること。【解決手段】  デジタルカメラ固定器具と照明器具を共に机上に固定できるようにし、カメラと照明の位置を自由に動かせる支柱を備え、さらに照明の明るさを調節する機能を備えることにより、高品質な画像が得られ、省スペースでかつ机上照明を兼ねることができ、本課題を解決した。さらにフレキシブルアームを有する遠隔撮影装置及びデジタルカメラ固定用アダプタを備えることでより汎用性、利便性を高めた。【選択図】  図１
2006067539.tif 000002
【特許請求の範囲】
【請求項１】
光源用支柱と光源からなる照明器具と、カメラ用支柱とカメラ固定用台座からなるカメラ固定器具を有するデジタルカメラ撮影補助装置において、光源用支柱とカメラ用支柱が共通の机上固定用治具に接続され、かつ照明器具とカメラ固定器具がそれぞれ位置を調整できる可動構造を有し、かつ光源が明るさ調節機能を有することを特徴とする机上用照明兼デジタルカメラ撮影補助装置。
【請求項２】
手で曲げて固定できるフレキシブルアーム部分を有する遠隔撮影装置をカメラ用支柱に取り付けたことを特徴とする請求項１記載の机上用照明兼デジタルカメラ撮影補助装置。
【請求項３】
カメラ固定用台座に、固定用ねじ穴を持たないデジタルカメラを固定するためのアダプタを取り付けたことを特徴とする請求項１及び請求項２記載の机上用照明兼デジタルカメラ撮影補助装置。
【発明の詳細な説明】
【技術分野】
【０００１】  本発明は、机上にて手書きの文書や部品等の被写体をデジタルカメラを用いて撮影するためのデジタルカメラ撮影補助装置に関する。
【背景技術】
【０００２】  デジタルカメラはデジタルデータとして得られる利点、例えば省スペース、電子メールに添付できることや、パスワード設定等のセキュリティ向上などの利点があり、机上で手書きの文書や、部品等を撮影し、デジタル画像としてパーソナルコンピュータ上で保存、操作すると非常に便利である。【０００３】  デジタルカメラで高品質な画像を得るためには、デジタルカメラの固定と、被写体への光の明るさ及び角度が重要である。手でデジタルカメラを持ち撮影する場合は簡便であるが、手ぶれによる失敗や、対象の角度や大きさがまちまちであったり、画像の明るさが画像毎に異なる場合も多く、満足できる品質の画像を得るために何度も撮り直すことが多い。写真スタジオ等で使用されている撮影機材、設備を用いれば高品質な画像が得られるが、大掛かりでコストもかかるため問題がある。【０００４】  このような問題を解決する方法として、例えば特許文献１に開示されているような、照明を内蔵したカメラ等撮影機材を設置できる箱体に、撮影装置と被写体の距離調整手段を有し、さらに光源を斜め方向から照明でき、露光調整機能を有する撮影補助装置が公開されている。この方法を用いれば、高品質な画像が比較的簡単な設備で得られるが、光源の角度に自由度が無く被写体に応じた最適角度に調整できない点や、露光調整をカメラ側で行うため、目視とのずれを生じる点で問題がある。また箱体であるため占有空間が大きく、スペース効率の点でも問題がある。さらに箱体構造が有する問題として、被写体の変更作業、例えば大量の部品を撮影するときや、手書きのノート等撮影毎にページをめくる必要があるものに対しては、箱体が邪魔となり、作業性が悪く時間もかかり利便性に問題がある。コストの面では写真スタジオ等の専用設備に比べれば優れているものの、まだ改善の余地がある。
【特許文献１】特開平９−１３３９４６号公報
【発明の開示】
【発明が解決しようとする課題】
【０００５】  以上に述べたように、デジタルカメラを用いて手書きの文書や部品等を高品質な画像として記録する方法には多くの問題点、改善の余地があり、本発明は、高品質な画像が得られ、利便性に優れ、省スペース、低コストで、汎用性が高く、さらに机上照明としての用途を備える机上用デジタルカメラ撮影補助装置を提供することを課題とする。
【課題を解決するための手段】
【０００６】  以上の課題を解決するために、請求項１記載の発明は、光源用支柱と光源からなる照明器具と、カメラ用支柱とカメラ固定用台座からなるカメラ固定器具を有するデジタルカメラ撮影補助装置において、光源用支柱とカメラ用支柱が共通の机上固定用治具に接続され、かつ照明器具とカメラ固定器具がそれぞれ位置を調整できる可動構造を有し、かつ光源が明るさ調節機能を有することを特徴とした構造であり、その結果、高品質な画像が得られ、利便性に優れ、省スペース、低コストで、汎用性が高く、さらに机上照明としての用途を備える机上用照明兼デジタルカメラ撮影補助装置である。【０００７】  請求項２記載の発明は、請求項１に記載されたデジタルカメラ撮影補助装置において、手で曲げて固定できるフレキシブルアーム部分を有する遠隔撮影装置を取り付けたことを特徴し、さらに利便性を高めた机上用照明兼デジタルカメラ撮影補助装置である。【０００８】  請求項３記載の発明は、固定用ねじ穴を持たないデジタルカメラを固定するためのアダプタを取り付けたことを特徴とし、汎用性を高めた請求項１及び請求項２記載の机上用照明兼デジタルカメラ撮影補助装置である。
【発明の効果】
【０００９】  請求項１記載の発明によれば、まず机上固定用治具を用いて装置を机上に固定し、デジタルカメラを取り付けた後、被写体に対しデジタルカメラを所望の位置に移動及び固定することができ、そして光源をデジタルカメラから見て最も適した位置に移動及び固定することができ、さらに被写体を見ながら明るさを調節することにより所望の明るさが一定に得られるため、高品質な画像を撮影できる。また撮影者はシャッターボタンを操作しながら手で簡単に被写体の変更、操作が行えるため利便性に優れている。さらに机上占有スペースも小さく、使用しないときはカメラ用支柱とカメラ固定用台座を邪魔にならない位置に移動させればよいため、省スペースで済み、また再度撮影する際も準備が簡単で利便性に優れている。さらに光源は机上照明を兼ねることができる上、机上固定用治具及び光源用支柱とカメラ用支柱の一部は共通の部品を使用できるので、コスト面で優れている。またカメラ固定用台座は様々な機種のデジタルカメラを取り付けられるため汎用性が高い。【００１０】  請求項２記載の発明によれば、請求項１記載の机上用照明兼デジタルカメラ撮影補助装置に、手で曲げて固定できるフレキシブルアーム部分を有する遠隔撮影装置を取り付け、そのフレキシブルアーム部分を手で曲げてデジタルカメラのシャッターボタン位置に合わせることで、シャッターボタンまで手を伸ばすことなく操作ができるため、さらに利便性に優れる。また異なる機種のデジタルカメラに交換しても、フレキシブルアームを曲げてシャッターボタン位置まで移動させればよいので、汎用性に優れている。【００１１】  請求項３記載の発明によれば、請求項１及び請求項２記載の机上用照明兼デジタルカメラ撮影補助装置に備えられたカメラ固定用台座に、固定用ねじ穴を持たないデジタルカメラを固定するためのアダプタを取り付けることにより、例えばデジタルカメラ機能付き携帯電話でも通常のデジタルカメラ同様、被写体を短時間かつ簡単な操作で、明るさ、大きさ等の撮影条件が一定で、高品質な画像として記録することを可能とした。さらに本発明のアダプタは通常のカメラ用三脚に備えられたカメラ固定用台座に取り付けることができ、汎用性に優れている。
【発明を実施するための最良の形態】
【００１２】  本発明の一実施形態を、図１、図２、図３に示す。図１は請求項１記載の机上用照明兼デジタルカメラ撮影補助装置を示すものであり、図２は請求項２記載のフレキシブルアームを有する遠隔撮影装置を示すものであり、図３は請求項３記載のねじ穴を持たないデジタル撮影装置を固定するためのアダプタを示すものである。【００１３】  図１の実施形態を、実際の操作手順の例を挙げて説明する。クランプ型の机上固定用治具１を用いて本装置を机１２に固定する。使用するデジタルカメラ１１を、カメラ固定用台座３にカメラ固定用ねじ４を回して固定した後、カメラ固定用レバー５とカメラ用支柱２を用いて被写体１３に対して最適な位置になるように調整した後固定する。次に光源用支柱７を動かし、デジタルカメラの位置から見て最適な位置に光源８を移動させた後、明るさ調節レバー１０で遮光板を動かし被写体１３明るさを調整する。【００１４】  上記操作により、撮影者は簡単な作業で高品質な画像を得ることができる。また使用するデジタルカメラがパーソナルコンピュータに接続できる機能を持つ場合には、パーソナルコンピュータ付属のディスプレイ装置にて撮影画像を随時確認できるためより好ましい。【００１５】  上記した机上固定用治具は机に固定するためのものであり、支柱が倒れない構造でかつ机上作業の邪魔にならないものが良く、図１の形状以外に、Ｌ字型、コの字型の形状でもよく、クランプを使用せずに磁力、重さ、接着剤等を利用して固定したり、四角形等の多角形枠でできた構造にして倒れないようにしてもよい。【００１６】  カメラ用支柱及び光源用支柱は、共通の机上固定用治具に端部を固定でき、かつ位置と角度を調整できるものであれば良く、柱状体をボールジョイント、エルボー等の節部でつなぎ合わせた構造や、フレキシブルアームを組み合わせて用いることができる。【００１７】  カメラ固定用台座は、デジタルカメラと接続し固定する機能と、カメラの角度を調整後固定する機能を有するものであり、専門用語で雲台と呼ばれる、カメラ固定用器具が適しているが、カメラ用支柱との接続部を１ｋｇ程度のデジタルカメラの重みでは動かない程度に堅くしてやれば、デジタルカメラと接続し固定する部分のみでも良い。【００１８】  光源とは、蛍光灯、白熱灯、発光ダイオード等の発光体を指し、明るさの調整は図１に示したような複数の遮光板をレバーにより回転させる方法の他に、複数の板を組み合わせたスライド型構造や、光源を複数設置して各々点灯、消灯する方法や、可変抵抗を用いて明るさを調整しても良い。【００１９】  次に図２の実施形態について説明する。図２の遠隔撮影装置は、樹脂製チューブ２３内に、金属又は樹脂製のワイヤーを通し、ワイヤーの先端にシャッター押下部２１を設け、反対側に操作部２２を設け、ばねを内蔵して操作部２２の方向に戻る力が働くようにした構造のものであり、操作部２２を押すとシャッター押下部２１が押し出され、離すとばねの力で戻るようになっている。樹脂製チューブ２３には、図１の遠隔撮影装置取り付け治具６に固定できるチューブ固定用治具２４を備え、チューブ固定用治具２４からシャッター押下部２１の手前までは樹脂製チューブの外側に金属管をらせん状に削��て樹脂で被覆したフレキシブルアーム２５を備える。この遠隔撮影装置を使用する際は、チューブ固定用治具２４を図１の遠隔撮影装置取り付け治具６に取り付け、フレキシブルアーム２５を手で曲げてシャッター押下部２１をデジタルカメラ１１のシャッターボタンを押せる位置まで合わせればよい。【００２０】  上記操作により、撮影者はカメラの位置まで手を伸ばさずに手元で撮影作業ができるため、より簡単な作業で撮影を行うことができる。【００２１】  上記したフレキシブルアームとは、筒状に加工した金属網や、らせん状に金属線を巻いたものや、金属管をらせん状に加工したもの、金属管を蛇腹状に加工したものであり、また補強および切子を出さない目的で弾性を有する樹脂等を被覆してなるものであって、手で曲げて自由に位置を固定できる機能を持つものである。【００２２】  図２の実施形態ではフレキシブルアーム部分が樹脂製チューブ２３のチューブ固定用治具２４からシャッター押下部２１の手前まで覆っている構造であるが、樹脂製チューブのその他の領域の一部または全部を覆っていても良い。【００２３】  また図２の実施形態では手で操作部２２を動かす形態であるが、撮影者の口や足を用いて操作できるように、全長を長くしたり操作部の形状を変更してもよい。またシャッター押下部２１を電動式にしてフレキシブルアームと接続しても良く、赤外線等を利用して無線動作ができるようにしても良い。【００２４】  次に図３の実施形態について説明する。固定支持体側ゴム板３３を備えた固定支持体３１と、移動支持体側ゴム板３４を備えた移動支持体３２を、位置調整用ねじ３５に取り付けた蝶ねじ３６を回すことで、固定用ねじ穴を持たないデジタルカメラを固定支持体側ゴム板３３と移動支持体側ゴム板３４の間に挟み込み固定する。そして固定用ねじ穴３７を介して図１の机上用照明兼デジタルカメラ撮影補助装置に取り付ける。【００２５】  上記操作により、固定用ねじ穴を持たないデジタルカメラでも、請求項１記載の発明及び請求項２記載の発明で述べた、高品質な画像を簡単に撮影することができるようになる。【００２６】  上記した固定用ねじ穴とは、カメラを固定する目的で通常カメラの下部に備えられたねじ穴のことを指し、固定用ねじ穴を持たないデジタルカメラとは、デザイン上、寸法上の理由から固定用ネジ穴を持たないデジタルカメラ、例えば機能付き携帯電話等の機器を指す。【００２７】  固定支持体側ゴム板３３及び移動支持体側ゴム板３４は、デジタルカメラが滑り落ちたり、傷がつくことを防止するためのものであり、表面に凹凸をつけたり、ゴム製以外では、プラスチック性や木製であっても良い。
【産業上の利用可能性】
【００２８】  本発明は、手書きの文書、イラストや、商品サンプル等をデジタルカメラを用いて高品質な電子データとして得るための装置として利用でき、家庭用、業務用を問わず広い利用可能性があると考えられる。
【図面の簡単な説明】
【００２９】
【図１】本発明の請求項１記載の発明の一実施形態を示す斜視図である。
【図２】本発明の請求項２記載の発明に記載された遠隔撮影装置の一実施形態を示す斜視図である。
【図３】本発明の請求項２記載の発明に記載されたアダプタの一実施形態を示す斜視図である。
【符号の説明】
【００３０】    １      机上固定用治具
２      カメラ用支柱
３      カメラ固定用台座
４      カメラ固定用ねじ
５      カメラ固定用レバー
６      遠隔撮影装置取り付け治具
７      光源用支柱
８      光源
９      遮光板
１０    明るさ調節レバー
１１    デジタルカメラ
１２    机
１３    被写体
２１    シャッター押下部
２２    操作部
２３    樹脂製チューブ
２４    チューブ固定用治具
２５    フレキシブルアーム
３１    固定支持体
３２    移動支持体
３３    固定支持体側ゴム板
３４    移動支持体側ゴム板
３５    位置調整用ねじ
３６    蝶ねじ
３７    固定用ねじ穴
【図１】
2006067539.tif 000003
【図２】
2006067539.tif 000004
【図３】
2006067539.tif 000005